(57)【要約】【課題】点字ブロックの融雪や凍結防止がより効率よく省エネルギーで達成でき、身障者等歩行者の安全への配慮も成された融雪点字ブロック装置を提供する。【解決手段】上表面に点字を形成し光を通す発熱体を有する発熱ガラス２Ａを路面側に備え、発熱ガラス２Ａの下に照明手段３を設ける。これによって、より伝熱効率のよい発熱ガラス２Ａを活用し、その透明性を生かして照明手段３により照明可能とした。点字ブロックの融雪や凍結防止をより効率よく省エネルギーで達成でき、身障者等歩行者を確認しやすく安全性の向上にも寄与できる。光を通す発熱体２１ｃを有する発熱ガラス２Ａを路面側に備え、発熱ガラス２Ａの下に照明手段３を設ける。発熱ガラス２Ａは、凍結、積雪を融解し、照明手段３は路面誘導機能を効果的に果す。【選択図】図１
2009052213.tif 000002
【特許請求の範囲】
【請求項１】
上表面に点字を形成し光を通す発熱体を有する発熱ガラスを路面側に備え、前記発熱ガラスの下に照明手段を設けたことを特徴とする融雪点字ブロック装置。
【請求項２】
前記発熱体が、金属膜発熱体であって、前記発熱ガラスが、空気層を介した２枚のガラスを有し、上部側の前記ガラスの前記空気層側に前記発熱体が設けられていることを特徴とする請求項１に記載の融雪点字ブロック装置。
【請求項３】
前記発熱体及び前記照明手段の少なくとも一方が、蓄電池と接続された充放電コントローラを介して商用電源に接続されていることを特徴とする請求項１又は２に記載の融雪点字ブロック装置。
【請求項４】
太陽電池が蓄電池に接続された充放電コントローラを介して商用電源に接続され、前記充放電コントローラと前記商用電源とに前記発熱体及び前記照明手段の少なくとも一方が、接続されていることを特徴とする請求項１又は２に記載の融雪点字ブロック装置。
【請求項５】
前記太陽電池の少なくとも一部が前記発熱ガラスの下に配置されていることを特徴とする請求項４に記載の融雪点字ブロック装置。
【請求項６】
少なくとも前記発熱ガラスと、前記照明手段を収納する防水手段を設けたことを特徴とする請求項１乃至５のいずれか１項に記載の融雪点字ブロック装置。
【請求項７】
前記充放電コントローラと接続された制御装置を介して、少なくとも前記発熱ガラスが接続され、前記制御装置は、降雪センサ、温度センサ、水分センサと、これらと接続されこれらからの情報信号に基づいて前記発熱ガラスの運転指令信号を出力する前記発熱ガラスの運転判断手段を有することを特徴とする請求項３または４に記載の融雪点字ブロック装置。
【請求項８】
前記制御装置が、外部から気象情報を受信する気象情報受信手段を備え、前記発熱ガラスの運転判断手段が前記気象情報にも基づく前記発熱ガラスの運転指令信号を出力することを特徴とする請求項７に記載の融雪点字ブロック装置。
【請求項９】
前記発熱ガラスの運転判断手段が、運転時間を指示する時間指示手段を備え、時間を含む前記発熱ガラスの運転指令信号を出力することを特徴とする請求項８に記載の融雪点字ブロック装置。
【請求項１０】
前記発熱ガラスの運転判断手段からの指示信号を受ける、予熱運転手段と融雪運転手段とを介して、前記発熱ガラスと前記発熱ガラスの運転判断手段とを接続したことを特徴とする請求項７乃至９のいずれか１項に記載の融雪点字ブロック装置。
【発明の詳細な説明】
【技術分野】
【０００１】
この発明は、融雪機能を有する点字ブロック装置に関する。
【背景技術】
【０００２】
雪の多い地域での歩道はヒータなどを用いたロードヒーティングが施設されているが、歩道に設けた点字ブロック上には、積雪や凍結が見られる。このため、融雪パネルの基盤をコンクリート材料で成形し、基盤の内部に融雪装置を埋設し、その電熱線の熱で路面上の雪を融かす、この基盤の表面に凹所を形成し、凹所に多孔質の融水浸透部材を設け、融水浸透部の部分的要所に点字ブロックを配設したものが提案されている（特許文献１参照）。また、滑り止め用の突起と点字突起を一体に形成した笠石ブロック内に電熱線を適宜形状に配設し、その両端を笠石ブロックの側面に露出させると共に、電熱線の両端をリード線を介して電源に接続し、通電させて電熱線を発熱させることにより、笠石ブロックを加熱させるプラットホームの融雪装置が提案されている（特許文献２参照）。
【特許文献１】特開２００５−３１５０６３号公報（要約、請求項１９）
【特許文献２】特開２００４−１１２３０号公報（要約、請求項２）
【発明の開示】
【発明が解決しようとする課題】
【０００３】
しかしながら、上記提案のいずれの技術も、伝熱効率の悪いコンクリート、石などの材料を用いているため、点字ブロックの融雪や凍結防止には、かなりのエネルギーが必要であり、身障者の横断の安全にも、配慮されたものではない。そこで、本発明が解決しようとする課題は、点字ブロックの融雪や凍結防止がより効率よく省エネルギーで達成でき、身障者等歩行者の安全への配慮も成された融雪点字ブロック装置を提供することにある。
【課題を解決するための手段】
【０００４】
上記課題を解決するため、本発明は、上表面に点字を形成し光を通す発熱体を有する発熱ガラスを路面側に備え、前記発熱ガラスの下に照明手段を設けた融雪点字ブロック装置とする。これによって、より伝熱効率のよい発熱ガラスを活用し、その透明性を生かして照明手段により照明可能としたため、点字ブロックの融雪や凍結防止をより効率よく省エネルギーで達成でき、身障者等歩行者を確認しやすく安全性の向上にも寄与できるものである。
【０００５】
また、前記発熱体が、金属膜発熱体であって、前記発熱ガラスが、空気層を介した２枚のガラスを有し、上部側の前記ガラスの前記空気層側に前記発熱体が設けられている融雪点字ブロック装置とすれば、発熱体の保護と保温効果を向上できさらに効率のよいものとでき、省エネルギーに貢献できる。
【０００６】
また、前記発熱体及び前記照明手段の少なくとも一方が、蓄電池と接続された充放電コントローラを介して商用電源に接続されている融雪点字ブロック装置とすれば、安価な夜間電力を活用でき、災害時の誘導にも効果を発揮することができる。
【０００７】
また、太陽電池が蓄電池に接続された充放電コントローラを介して商用電源に接続され、前記充放電コントローラと前記商用電源とに前記発熱体及び前記照明手段の少なくとも一方が、接続されている融雪点字ブロック装置とすれば、太陽電池のクリーンなエネルギーを、夜間、災害時等にも活用できる。
【０００８】
また、前記太陽電池の少なくとも一部が前記発熱ガラスの下に配置されている融雪点字ブロック装置とすれば、このシステムの占める面積を近接電源として有効に活用できる。
【０００９】
また、少なくとも前記発熱ガラスと、前記照明手段を収納する防水手段を設けた融雪点字ブロック装置とすれば、防水された単体として取り扱うことができる。
【００１０】
また、前記充放電コントローラと接続された制御装置を介して、少なくとも前記発熱ガラスが接続され、前記制御装置は、降雪センサ、温度センサ、水分センサと、これらと接続されこれらからの情報信号に基づいて前記発熱ガラスの運転指令信号を出力する前記発熱ガラスの運転判断手段を有する融雪点字ブロック装置とすれば、発熱ガラスへの最適な電力供給が達成できる。
【００１１】
また、前記制御装置が、外部から気象情報を受信する気象情報受信手段を備え、前記発熱ガラスの運転判断手段が前記気象情報にも基づく前記発熱ガラスの運転指令信号を出力する融雪点字ブロック装置とすれば、最適な予熱時間が確保でき、融雪ヒータの容量をより小容量とできる。
【００１２】
また、前記発熱ガラスの運転判断手段が、運転時間を指示する時間指示手段を備え、時間を含む前記発熱ガラスの運転指令信号を出力する融雪点字ブロック装置とすれば、より最適な予熱時間が確保でき、融雪ヒータの容量をより小容量とできる。
【００１３】
また、前記発熱ガラスの運転判断手段からの指示信号を受ける、予熱運転手段と融雪運転手段とを介して、前記発熱ガラスと前記発熱ガラスの運転判断手段とを接続した融雪点字ブロック装置とすれば、予熱運転と融雪運転とを活用して、適切な予熱時間が確保できるとともに、融雪ヒータの容量を適切なものとできる。
【発明の効果】
【００１４】
本発明によれば、上表面に点字を形成し光を通す発熱体を有する発熱ガラスを路面側に備え、前記発熱ガラスの下に照明手段を設けた融雪点字ブロック装置とすことによって、より伝熱効率のよい発熱ガラスを活用し、その透明性を生かして照明手段による照明を可能としたため、点字ブロックの融雪や凍結防止をより効率よく省エネルギーで達成でき、身障者等歩行者を確認しやすく安全性の向上にも寄与できるものである。
【発明を実施するための最良の形態】
【００１５】
以下本発明の実施の形態を図を参照しつつ説明する。
【００１６】
図１は、本発明による一実施の形態としての融雪点字ブロック装置１を含む点字ブロックシステム１００のブロック構成図である。図２は、図１の実施の形態の融雪点字ブロック装置１の構成を示す断面図である。図１と図２に基づき、この実施の形態の構成をまず説明する。
【００１７】
図２において、融雪点字ブロック装置１は、上表面にある上部表示部２１ａに点字２１ｂを形成し光を通す発熱体２１ｃ、ここでは金属膜発熱体、を下面に貼着または融着などで形成した上部ガラス２１、これを発熱ガラス２Ａと呼ぶ、を路面側（図の上側方向）に備え、この発熱ガラス２Ａと空気層２３を介して対向して複層状に下部ガラス２２を配設した点字ブロック２を有する。さらに、発熱ガラス２Ａの下に（ここでは、点字ブロック２の下に）照明手段３を設けている。照明手段３は、この例では、照明器具を用いているが、ダイオード等その他の発光体であってもよい。
【００１８】
融雪点字ブロック装置１は、点字ブロック２と、照明手段３を収納する防水手段２４、例えば、防水ボックス、防水包装等の手段、を設ける。
【００１９】
また、図２に一点鎖線で示すように、点字ブロック２の下に太陽電池６の一部が配置されている場合には、これも防水手段に収納されていることが望ましい。太陽電池は、フィルム型太陽電池を用いれば、建物の外壁面などの建造物に太陽電池モジュールを直接貼着することもでき、街中でも設置が容易である。
【００２０】
図１において、発熱体２１ｃすなわち点字ブロック２の発熱カラス２Ａと照明手段３とは、充放電コントローラ４と、この実施の形態では、制御装置８を介して、接続されている。充放電コントローラ４は、太陽電池６と商用電源７とに接続され、さらに充放電可能な蓄電池５と接続されている。蓄電池５は、太陽電池６からの電力を蓄え、太陽電池６の発電供給量が少なくなると、蓄電を給電する。また、商用電源７からの電力も、この実施の形態では給電を補う、これらの給電制御は、充放電コントローラ４が行っている。この実施の形態では、太陽電池６と商用電源７に接続されている系統連系式電源であるが、太陽電池６の給電容量が大きい場合は商用電源７との接続をなくし、太陽電池自立型電源とすることもでき、この場合は、商用電源７からの配線をなくすことができる利便性がある。また、発熱体２１ｃか照明手段３かの一方のみを商用電源７と接続するようにすることもできる。
【００２１】
さらに、制御装置８は、発熱ガラス２Ａへの最適な電力供給を行うため、降雪センサ９１、温度センサ９２、発熱ガラス２Ａ表面の水分を検知する水分センサ９３と、これらと接続されこれらからの情報信号に基づいて発熱ガラス２Ａの運転指令信号を出力する発熱ガラス２Ａの運転判断手段８１を有する。また、制御装置８は、外部の気象データサービス施設５１などから、インターネット５０などの通信手段を介して気象情報を受信する気象情報受信手段８８、気象情報を記録する気象情報記録手段８３を備え、発熱ガラス２Ａの運転判断手段８１がこの気象情報にも基づく発熱ガラス２Ａの運転指令信号を出力する。ここでの気象情報には、天気予報などの予想気象情報が含まれ、例えば３０分乃至２時間ごとに受信される。後述するように、これによって最適な予熱時間が確保でき、融雪ヒータの容量をより小容量とできる。
【００２２】
発熱ガラス２Ａの運転判断手段８１は、運転時間を指示する時間指示手段８１ａを備え、時間を含む発熱ガラス２Ａの運転指令信号を出力する。このため、融雪点字ブロック装置１に対しより最適な予熱時間が確保でき、融雪ヒータ（ここでは、発熱ガラス２Ａ）の容量をより小容量とできる。さらに、ここでの実施の形態では、制御装置８は、発熱ガラス２Ａの運転判断手段８１からの指示信号を受け、発熱ガラス２Ａの予熱運転を行う予熱運転手段８５と発熱ガラス２Ａの融雪運転を行う融雪運転手段８６とを含み、これら予熱運転手段８５または融雪運転手段８６を介して、発熱ガラスの運転判断手段８１と発熱ガラス２Ａとを接続する。予熱運転と融雪運転とを活用して、融雪点字ブロック装置１に対する適切な予熱時間が確保できるとともに、融雪ヒータの容量を適切なものとできる。
【００２３】
照明手段３は、外部光を感知できる場所に置かれた光検知センサ手段９５により、外部光が、特定レベル以下に下がると点灯するように制御される。
【００２４】
次に図３と図４に基づいて、図１に示した点字ブロックシステム１００の動作を制御装置８の制御プログラムの作用を中心に説明する。図３は、図１の点字ブロックシステム１００における制御の一部を示すフロー図である。図４は、図１の点字ブロックシステム１００における制御の他の一部（続き）を示すフロー図である。両図は、マークＷの点でつながっている。
【００２５】
電源スイッチが入れられ、スタートのステップＳ１で、制御装置８が動作を始める。
ステップＳ２では、運転判断手段８１は降雪センサ９１からの信号を受け、降雪の有り無しを判断する。有りの場合は、融雪運転手段８６に指示を与え、ステップＳ３で発熱ガラス２Ａは融雪運転をはじめる。無しの場合は、次のステップＳ４に至る。
【００２６】
ステップＳ４では、運転判断手段８１は点字ブロック２の表面の水分を計測する水分センサ９３からの信号を受け、表面の水分の有り無しを判断する。有りの場合は、次のステップＳ５に至る。
【００２７】
ステップＳ５では、運転判断手段８１は温度センサ９２からの信号を受け、外気温が、−５℃以下か否かを判断する。−５℃以下でなければ（ＮＯの場合であれば）、予熱運転手段８５に指示を与え、ステップＳ６で発熱ガラス２Ａは予熱運転をはじめる。−５℃以下であれば（ＹＥＳの場合であれば）、融雪運転手段８６に指示を与え、ステップＳ７で発熱ガラス２Ａは融雪運転をはじめる。
【００２８】
他方、ステップＳ４で表面の水分の無しの場合は、ステップＳ８に至る。ステップＳ８では、外気温が、−５℃以下か否かを判断する。−５℃以下であれば（ＹＥＳの場合であれば）、予熱運転手段８５に指示を与え、ステップＳ９で発熱ガラス２Ａは予熱運転をはじめる。−５℃以下でなければ（ＮＯの場合であれば）、図４のステップＳ１０に至る。
【００２９】
ステップＳ１０では、外部の気象データサービス施設５１などから、インターネット５０などの通信手段を介して気象情報受信手段８８で例えば１時間ごとに受信された天気予報を含む気象情報を記憶した気象情報記録手段８３から、各時間帯の降雪予測情報の信号を運転判断手段８１は受け、その情報をここでは、例えば、午前、午後、夜間のそれぞれに振り分ける。
【００３０】
ステップＳ１１で、午前の各時間帯の降雪予測情報から運転判断手段８１は、降雪の有り無しを判別する。午前の降雪予測無しの場合、運転判断手段８１は、ステップＳ１２で、発熱ガラス２Ａのための融雪運転手段８６と予熱運転手段８５とに運転停止の指令を出す。午前の降雪予測有りの場合、運転判断手段８１は、ステップＳ１３で、時間指示手段８１ａを通じ５時００分から１１時００分間の運転指令を予熱運転手段８５に与える。
【００３１】
ステップＳ１４で、午後の各時間帯の降雪予測情報から運転判断手段８１は、降雪の有り無しを判別する。午後の降雪予測無しの場合、運転判断手段８１は、ステップＳ１５で、発熱ガラス２Ａのための融雪運転手段８６と予熱運転手段８５とに運転停止の指令を出す。午後の降雪予測有りの場合、運転判断手段８１は、ステップＳ１６で、時間指示手段８１ａを通じ１１時００分から１７時００分間の運転指令を予熱運転手段８５に与える。
【００３２】
ステップＳ１７で、夜間の各時間帯の降雪予測情報から運転判断手段８１は、降雪の有り無しを判別する。夜間の降雪予測無しの場合、運転判断手段８１は、ステップＳ１８で、発熱ガラス２Ａのための融雪運転手段８６と予熱運転手段８５とに運転停止の指令を出す。夜間の降雪予測有りの場合、運転判断手段８１は、ステップＳ１９で、時間指示手段８１ａを通じ１７時００分から翌朝５時００分間の運転指令を予熱運転手段８５に与える。
【００３３】
このように予熱運転を適切に行えるため、雪の降り始めにときとしてヒータが予熱されておらず凍結を起こすことを防止できると共に、この凍結を無くすため融雪ヒータで一気に雪を溶かす必要から融雪ヒータが大容量となっていたのをより小容量として、省エネルギ化を図ることができる。
【００３４】
ステップＳ１からステップＳ１９のステップは、特定された時間ごとに、その都度必要なステップまで繰り返し行われる。特に降雪センサ９１が降雪を感知すると、ステップＳ２が直ちに開始され、融雪運転にすべて切り替えられる。
【００３５】
なお、一般に、歩道用の点字ブロックには、線状ブロックと点状ブロックとの２種類が現在ある。線状ブロックは、進む方向を表し、点状ブロックは、「注意」を表す。図５には、図２の融雪点字ブロック装置１を公園の横断歩道１１に設置した場合を示している。線状点字を示した融雪点字ブロック装置１ａが進行方向に沿って中央に並び、点状点字を標した融雪点字ブロック装置１ｂが両端に設置されている。
【００３６】
本発明は、この２種類の点字ブロックのみならず、種々の点字を標したブロックに対して適用できる。また、凍結や積雪の多い地域において、一般の歩道、駐車場の路面などにも設置して活用できることも、明らかである。
【産業上の利用可能性】
【００３７】
以上のように、本発明による融雪点字ブロック装置は、より伝熱効率のよい発熱ガラスを活用し、その透明性を生かして照明手段による照明を可能としたため、点字ブロックの融雪や凍結防止をより効率よく省エネルギーで達成でき、身障者等歩行者を確認しやすく安全性の向上にも寄与でき十分に産業上の利用性がある。
【図面の簡単な説明】
【００３８】
【図１】本発明による一実施の形態としての点字ブロック装置を含む点字ブロックシステムのブロック構成図である。
【図２】図１の実施の形態の点字ブロック装置の構成を示す断面図である。
【図３】図１の点字ブロックシステムにおける制御の一部を示すフロー図である。
【図４】図１の点字ブロックシステムにおける制御の他の一部（続き）を示すフロー図である。
【図５】図２の点字ブロック装置を公園の歩道に設置した場合の平面図である。
【符号の説明】
【００３９】
１  融雪点字ブロック装置、２  点字ブロック、２Ａ  発熱ガラス、３  照明手段、４充放電コントローラ、５  蓄電池、６  太陽電池、７  商用電源、８  制御装置、２１  上部ガラス、２１ａ  上部表示部、２１ｂ  点字、２１ｃ  発熱体、２２  下部ガラス、２３  空気層、２４  防水手段、５０  インターネット、５１  気象データサービス施設、８１  運転判断手段、８１ａ  時間指示手段、８３  気象情報記録手段、８５  予熱運転手段、８６  融雪運転手段、８８  気象情報受信手段、９１  降雪センサ、９２  温度センサ、９３  水分センサ、９５  光検知センサ手段、１００  点字ブロックシステム。
【図１】
2009052213.tif 000003
【図２】
2009052213.tif 000004
【図３】
2009052213.tif 000005
【図４】
2009052213.tif 000006
【図５】
2009052213.tif 000007